(57)【要約】【課題】本発明はフレキシブルプリント配線板用コネクタ装置に関し、接続の信頼性の向上を図ることを課題とする。【解決手段】ハウジング６１内に組み込んであるコンタクト部材７０と、アクチュエータ８０とを有する。コンタクト部材７０は、上側のコンタクト腕部７２と下側のコンタクト腕部７３とを有する。フレキシブルプリント配線板４０の挿入し、斜めとなっているアクチュエータ８０をＺ２方向に押し下げると、カム部８３が根元部７７を押して、コンタクト部７２ａとコンタクト部７３ａとがフレキシブルプリント配線板４０を挟み込む。【選択図】　　　　図５
2004039479.tif 000002
【特許請求の範囲】
【請求項１】
ハウジングと、
夫々が上側コンタクト部とこれと対向する下側コンタクト部とを有し、上側コンタクト部と下側コンタクト部との間隔が接続されるフレキシブルプリント配線板が挿入される程度に開いており、上記のハウジングに並んで設けてある複数のコンタクト部材と、
操作されて上側コンタクト部と下側コンタクト部との間隔を狭めるアクチュエータとよりなり、
フレキシブルプリント配線板を挿入し、上記アクチュエータを操作することによって、上側コンタクト部と下側コンタクト部とが所定の接触圧力でフレキシブルプリント配線板を挟む構成としたことを特徴とするフレキシブルプリント配線板用コネクタ装置。
【請求項２】
請求項１記載のフレキシブルプリント配線板用コネクタ装置において、
上記コンタクト部材は、狭められたときの上側コンタクト部と下側コンタクト部との間隔を決めるべくコンタクト部材の撓みの限度を定めるストッパ部を有する構成としたことを特徴とするフレキシブルプリント配線板用コネクタ装置。
【請求項３】
請求項１記載のフレキシブルプリント配線板用コネクタ装置において、
上記コンタクト部材は、先端に上側コンタクト部を有する上側コンタクト腕部と先端に下側コンタクト部を有する下側コンタクト腕部とを有し、該上側コンタクト腕部と下側コンタクト部とがフォーク形状をなす形状であり、
上記アクチュエータは、上記上側コンタクト腕部の根元部を押す構成としたことを特徴とするフレキシブルプリント配線板用コネクタ装置。
【請求項４】
請求項１記載のフレキシブルプリント配線板用コネクタ装置において、
上記コンタクト部材は、先端に上側コンタクト部を有する上側コンタクト腕部と先端に下側コンタクト部を有する下側コンタクト腕部とを有し、該上側コンタクト腕部と下側コンタクト部とがフォーク形状をなす形状であり、
上記アクチュエータは、上記上側コンタクト腕部を押す構成としたことを特徴とするフレキシブルプリント配線板用コネクタ装置。
【請求項５】
請求項１記載のフレキシブルプリント配線板用コネクタ装置において、
上記ハウジングは、偏平な箱形状であり、上面に開口を有する構成であり、
上記アクチュエータは、板状であり、上側コンタクト部と下側コンタクト部との間隔を狭めるように操作された状態で、上記ハウジングの上面の開口内に嵌合して該開口を塞ぐようにしたことを特徴とするフレキシブルプリント配線板用コネクタ装置。
【請求項６】
請求項１記載のフレキシブルプリント配線板用コネクタ装置において、
上記アクチュエータを操作した位置にロックする機構を更に有する構成としたことを特徴とするフレキシブルプリント配線板用コネクタ装置。
【請求項７】
ハウジングと、
夫々が上側コンタクト部とこれと対向する下側コンタクト部とを有し、上側コンタクト部と下側コンタクト部との間隔が接続されるフレキシブルプリント配線板の厚さより狭くなっており、上記のハウジングに並んで設けてある複数のコンタクト部材と、
操作されて上側コンタクト部と下側コンタクト部との間隔を一時的に広げるアクチュエータとよりなり、
上記アクチュエータを操作して上記コンタクト部材を弾性的に撓ませて上側コンタクト部と下側コンタクト部との間隔を広げた状態でフレキシブルプリント配線板を挿入し、上記アクチュエータを元に戻す操作をすることによって、上記コンタクト部材の弾性力によって上側コンタクト部と下側コンタクト部との間隔が狭まり、上側コンタクト部と下側コンタクト部とが所定の接触圧力でフレキシブルプリント配線板を挟む構成としたことを特徴とするフレキシブルプリント配線板用コネクタ装置。
【請求項８】
請求項７記載のフレキシブルプリント配線板用コネクタ装置において、
上記コンタクト部材は、先端に上側コンタクト部を有する上側コンタクト腕部と先端に下側コンタクト部を有する下側コンタクト腕部とを有し、該上側コンタクト腕部と下側コンタクト部とがフォーク形状をなす形状であり、
上記アクチュエータは、上記上側コンタクト腕部の根元部を押す構成としたことを特徴とするフレキシブルプリント配線板用コネクタ装置。
【請求項９】
請求項７記載のフレキシブルプリント配線板用コネクタ装置において、
上記ハウジングは、偏平な箱形状であり、上面に開口を有する構成であり、
上記アクチュエータは、板状であり、上側コンタクト部と下側コンタクト部との間隔が元の状態となるように操作された状態で、上記ハウジングの上面の開口を塞ぐようにしたことを特徴とするフレキシブルプリント配線板用コネクタ装置。
【請求項１０】
請求項７記載のフレキシブルプリント配線板用コネクタ装置において、
上記コンタクト部材は、先端に上側コンタクト部を有する上側コンタクト腕部と先端に下側コンタクト部を有する下側コンタクト腕部とを有し、該上側コンタクト腕部と下側コンタクト部とがフォーク形状をなす形状であり、
上記アクチュエータは、上記下側コンタクト腕部と上側コンタクト腕部との間に位置して、上側コンタクト腕部を押し上げる構成としたことを特徴とするフレキシブルプリント配線板用コネクタ装置。
【請求項１１】
請求項７記載のフレキシブルプリント配線板用コネクタ装置において、
上記コンタクト部材は、先端に上側コンタクト部を有する上側コンタクト腕部と先端に下側コンタクト部を有する下側コンタクト腕部とを有し、該上側コンタクト腕部と下側コンタクト部とがフォーク形状をなし、且つ、上記上側コンタクト腕部より上側コンタクト部とは逆の方向に延びる延長腕部を有する形状であり、
上記アクチュエータは、上記延長腕部の上側を覆うように位置して、延長腕部を押し下げる構成としたことを特徴とするフレキシブルプリント配線板用コネクタ装置。
【請求項１２】
ハウジングと、
夫々が下側コンタクト部とを有し、上記のハウジングに並んで設けてある複数のコンタクト部材と、
該ハウジングと結合されて、フレキシブルプリント配線板を上記下側コンタクト部に押し付けるアクチュエータとよりなる構成としたことを特徴とするフレキシブルプリント配線板用コネクタ装置。
【発明の詳細な説明】
【０００１】
【発明の属する技術分野】
本発明はフレキシブルプリント配線板用コネクタ装置に係り、携帯電話機、デジタルカメラ等の電子機器の内部に使用されるフレキシブルプリント配線板用コネクタ装置に関する。
【０００２】
【従来の技術】
図１（Ａ），（Ｂ）は特開平１１−５４２１８号公報に記載されているフレキシブルプリント配線板用コネクタ装置１０を示す。Ｘ１−Ｘ２は幅方向、Ｙ１はフレキシブルプリント配線板を挿入する方向、Ｙ２はフレキシブルプリント配線板を引き抜く方向である。Ｚ１−Ｚ２は高さ方向である。コネクタ装置１０は、ハウジング１１と、ハウジング１１内に並んで組み込んであるコンタクト部材２０と、垂直の姿勢から水平の姿勢に倒されるアクチュエータ３０とを有する。コンタクト部材２０は、フォーク形状を有し、上側のコンタクト部２１と下側のコンタクト部２２とを有する。コネクタ装置１０は、所謂下側コンタクト部のタイプである。
【０００３】
図１（Ａ）に示すように、フレキシブルプリント配線板（ＦＰＣ）４０をその端子４１が下面となる向きでハウジング１１内に挿入して、コンタクト部２１とコンタクト部２２との間に挿入し、アクチュエータ３０を倒す操作をする。これによって、図１（Ｂ）に示すように、アクチュエータ３０の加圧部３１がコンタクト部２１の下側に入り込んで、フレキシブルプリント配線板４０を加圧部３１とコンタクト部２２との間に挟み込み、端子４１がコンタクト部２２に押し当たった状態となり、フレキシブルプリント配線板４０がコネクタ装置１０に接続される。
【０００４】
【発明が解決しようとする課題】
この構成のフレキシブルプリント配線板用コネクタ装置１０は以下の問題があった。
【０００５】
▲１▼　コンタクト部材２０はフォーク形状を有しているけれども、コンタクト部として機能するのは下側のコンタクト部２２であり、コネクタ装置１０は、
通常の所謂下側コンタクト部のタイプであり、端子が上面側となるフレキシブルプリント配線板には対応できない。コネクタ装置１０は使用できる場所がフレキシブルプリント配線板４０の端子の向きが下向きとなる場所に限られ、フレキシブルプリント配線板の端子の向きを考えて使用する必要があり、使用の適用性が良くなかった。例えば、図２に示すように、上側の基板５０と下側の基板５１とをフレキシブルプリント配線板４０で接続する場合に、上記のコネクタ装置１０が実装できるのは、上側の基板５０か下側の基板５１かの一方に限られ、他方には別のタイプのコネクタ装置を実装する必要があった。
【０００６】
▲２▼　アクチュエータ３０が水平の姿勢に倒されるときに、加圧部３１がフレキシブルプリント配線板４０と擦れ合う。加圧部３１とフレキシブルプリント配線板４０との間の摩擦力によって、フレキシブルプリント配線板４０にはＹ１方向の力が作用される。ここで、加圧部３１とフレキシブルプリント配線板４０との間の摩擦力がフレキシブルプリント配線板４０の幅方向上均一でない場合があり、この場合に問題が起きる。即ち、フレキシブルプリント配線板４０の幅方向上Ｘ１側に作用する力Ｆ１とＸ２側に作用する力Ｆ２とに差があると、フレキシブルプリント配線板４０のコネクタ装置１０内での位置が、図３中二点鎖線で示すようにずれてしまい、端子４１がコンタクト部２２に対してずれて、接続不良となってしまう虞れがあった。特に、端子４１のピッチｐが狭くなってきている現状においては、接続不良が起きやすい。
【０００７】
そこで、本発明は、上記課題を解決したフレキシブルプリント配線板用コネクタ装置を提供することを目的とする。
【０００８】
【課題を解決するための手段】
請求項１の発明は、ハウジングと、
夫々が上側コンタクト部とこれと対向する下側コンタクト部とを有し、上側コンタクト部と下側コンタクト部との間隔が接続されるフレキシブルプリント配線板が挿入される程度に開いており、上記のハウジングに並んで設けてある複数のコンタクト部材と、
操作されて上側コンタクト部と下側コンタクト部との間隔を狭めるアクチュエータとよりなり、
フレキシブルプリント配線板を挿入し、上記アクチュエータを操作することによって、上側コンタクト部と下側コンタクト部とが所定の接触圧力でフレキシブルプリント配線板を挟む構成としたものである。
【０００９】
上側コンタクト部と下側コンタクト部とがフレキシブルプリント配線板を挟むため、フレキシブルプリント配線板がどちらの向きでも接続可能となる。
【００１０】
また、接続の際に上側コンタクト部とフレキシブルプリント配線板との間に入り込む部材が存在しないため、第１には、フレキシブルプリント配線板がずれが起きず、接続の信頼性が高くなり、第２には、低背化が図られる。
【００１１】
請求項２の発明は、請求項１のフレキシブルプリント配線板用コネクタ装置において、
上記コンタクト部材は、狭められたときの上側コンタクト部と下側コンタクト部との間隔を決めるべくコンタクト部材の撓みの限度を定めるストッパ部を有する構成としたものである。
【００１２】
アクチュエータが磨耗した場合であっても、コンタクト部のフレキシブルプリント配線板への接触圧力が変わらないようになる。
【００１３】
請求項３の発明は、請求項１のフレキシブルプリント配線板用コネクタ装置において、
上記コンタクト部材は、先端に上側コンタクト部を有する上側コンタクト腕部と先端に下側コンタクト部を有する下側コンタクト腕部とを有し、該上側コンタクト腕部と下側コンタクト部とがフォーク形状をなす形状であり、
上記アクチュエータは、上記上側コンタクト腕部の根元部を押す構成としたものである。
【００１４】
請求項４の発明は、請求項１のフレキシブルプリント配線板用コネクタ装置において、
上記コンタクト部材は、先端に上側コンタクト部を有する上側コンタクト腕部と先端に下側コンタクト部を有する下側コンタクト腕部とを有し、該上側コンタクト腕部と下側コンタクト部とがフォーク形状をなす形状であり、
上記アクチュエータは、上記上側コンタクト腕部を押す構成としたものである。
【００１５】
請求項５の発明は、請求項１のフレキシブルプリント配線板用コネクタ装置において、
上記ハウジングは、偏平な箱形状であり、上面に開口を有する構成であり、
上記アクチュエータは、板状であり、上側コンタクト部と下側コンタクト部との間隔を狭めるように操作された状態で、上記ハウジングの上面の開口内に嵌合して該開口を塞ぐようにしたものである。
【００１６】
アクチュエータの厚さはハウジングの高さ内に包含されるようになり、コネクタ装置の低背化が図られる。
【００１７】
請求項６の発明は、請求項１のフレキシブルプリント配線板用コネクタ装置において、
上記アクチュエータを操作した位置にロックする機構を更に有する構成としたものである。
【００１８】
請求項７の発明は、ハウジングと、
夫々が上側コンタクト部とこれと対向する下側コンタクト部とを有し、上側コンタクト部と下側コンタクト部との間隔が接続されるフレキシブルプリント配線板の厚さより狭くなっており、上記のハウジングに並んで設けてある複数のコンタクト部材と、
操作されて上側コンタクト部と下側コンタクト部との間隔を一時的に広げるアクチュエータとよりなり、
上記アクチュエータを操作して上記コンタクト部材を弾性的に撓ませて上側コンタクト部と下側コンタクト部との間隔を広げた状態でフレキシブルプリント配線板を挿入し、上記アクチュエータを元に戻す操作をすることによって、上記コンタクト部材の弾性力によって上側コンタクト部と下側コンタクト部との間隔が狭まり、上側コンタクト部と下側コンタクト部とが所定の接触圧力でフレキシブルプリント配線板を挟む構成としたものである。
【００１９】
上側コンタクト部と下側コンタクト部とがフレキシブルプリント配線板を挟むため、フレキシブルプリント配線板がどちらの向きでも接続可能となる。
【００２０】
また、接続の際に上側コンタクト部とフレキシブルプリント配線板との間に入り込む部材が存在しないため、第１には、フレキシブルプリント配線板がずれが起きず、接続の信頼性が高くなり、第２には、低背化が図られる。
【００２１】
また、コンタクト部のフレキシブルプリント配線板への接触圧力がコンタクト部材によって決定されるため、アクチュエータの寸法のばらつき、アクチュエータの磨耗等によって、接触圧力が影響を受けない。
【００２２】
請求項８の発明は、請求項７記載のフレキシブルプリント配線板用コネクタ装置において、
上記コンタクト部材は、先端に上側コンタクト部を有する上側コンタクト腕部と先端に下側コンタクト部を有する下側コンタクト腕部とを有し、該上側コンタクト腕部と下側コンタクト部とがフォーク形状をなす形状であり、
上記アクチュエータは、上記上側コンタクト腕部の根元部を押す構成としたものである。
【００２３】
請求項９の発明は、請求項７のフレキシブルプリント配線板用コネクタ装置において、
上記ハウジングは、偏平な箱形状であり、上面に開口を有する構成であり、
上記アクチュエータは、板状であり、上側コンタクト部と下側コンタクト部との間隔が元の状態となるように操作された状態で、上記ハウジングの上面の開口を塞ぐようにしたものである。
【００２４】
請求項１０の発明は、請求項７記載のフレキシブルプリント配線板用コネクタ装置において、
上記コンタクト部材は、先端に上側コンタクト部を有する上側コンタクト腕部と先端に下側コンタクト部を有する下側コンタクト腕部とを有し、該上側コンタクト腕部と下側コンタクト部とがフォーク形状をなす形状であり、
上記アクチュエータは、上記下側コンタクト腕部と上側コンタクト腕部との間に位置して、上側コンタクト腕部を押し上げる構成としたものである。
【００２５】
請求項１１の発明は、請求項７記載のフレキシブルプリント配線板用コネクタ装置において、
上記コンタクト部材は、先端に上側コンタクト部を有する上側コンタクト腕部と先端に下側コンタクト部を有する下側コンタクト腕部とを有し、該上側コンタクト腕部と下側コンタクト部とがフォーク形状をなし、且つ、上記上側コンタクト腕部より上側コンタクト部とは逆の方向に延びる延長腕部を有する形状であり、
上記アクチュエータは、上記延長腕部の上側を覆うように位置して、延長腕部を押し下げる構成としたものである。
【００２６】
請求項１２の発明は、ハウジングと、
夫々が下側コンタクト部とを有し、上記のハウジングに並んで設けてある複数のコンタクト部材と、
該ハウジングと結合されて、フレキシブルプリント配線板を上記下側コンタクト部に押し付けるアクチュエータとよりなる構成としたものである。
【００２７】
【発明の実施の形態】
各図中、Ｘ１−Ｘ２は幅方向、Ｙ１はフレキシブルプリント配線板を挿入する方向、Ｙ２はフレキシブルプリント配線板を引き抜く方向である。Ｚ１−Ｚ２は高さ方向である。
【００２８】
［第１実施例］
図４及び図５（Ａ），（Ｂ）は本発明の第１実施例のフレキシブルプリント配線板用コネクタ装置６０を示す。コネクタ装置６０は、上下にコンタクト部を有する上下コンタクトタイプで、押す操作をすることによって接触圧力をうる加圧タイプであり、絶縁材料製のハウジング６１と、ハウジング６１内にＸ１−Ｘ２方向に並んで組み込んである複数のコンタクト部材７０と、傾斜した姿勢から水平の姿勢に倒されるアクチュエータ８０と、アクチュエータ８０を操作した水平位置にロックするロック機構９０とを有する。本願明細書において、アクチュエータとは、操作されて、コンタクト部材を変形させる機能を有するものをいう。
【００２９】
ハウジング６１は、偏平の箱形状であり、底板部６２、上板部６３、側板部６４、６５、背面板部６６を有する。ハウジング６１は、Ｙ２側に、偏平な矩形枠部６７を有し、この矩形枠部６７がフレキシブルプリント配線板挿入口６８を形成している。６７ａは上側の梁部である。上板部６３にはアクチュエータ８０に対応する大きい矩形開口６９が形成してある。背面板部６６には、アクチュエータ８０が挿入される多数の孔６６ａがＸ１−Ｘ２方向に並んで形成してある。
【００３０】
コンタクト部材７０は、ベース部７１と、上側のコンタクト腕部７２と、下側のコンタクト腕部７３とを有する。ベース部７３は、Ｙ１方向に延びている外部端子部７４を有し、Ｚ１側からＹ２方向に突き出ている半円形状の支持部７５を有する。下側のコンタクト腕部７３は、ベース部７３のＺ１側からＹ２方向に延びている。ベース部７３のＹ２方向側の部分からＺ１方向に延びる柱部７６が形成してある。上側のコンタクト腕部７２は、幅の広い根元部７７を有し、この根元部７７が柱部７６につながっている。柱部７６は、くびれており、Ｙ２方向に弾性的に撓み易い寸法形状となっている。コンタクト腕部７２の根元部７７からコンタクト腕部７３に向かうストッパ部７８が形成してある。ストッパ部７８の先端とコンタクト腕部７３の根元部との間には、隙間ｇが存在している。コンタクト腕部７２、７３は、夫々先端にコンタクト部７２ａ，７３ａを有する。
【００３１】
上側のコンタクト腕部７２と下側のコンタクト腕部７３と柱部７６とは、フォーク形状をなす。対向するコンタクト部７２ａ，７３ａの間の寸法はａである。フレキシブルプリント配線板４０の端部には、補強板４５が貼り付けてある。寸法ａは、フレキシブルプリント配線板４０の端部の厚さｔ１０より大きい。
【００３２】
コンタクト部材７０は、ベース部７１を背面板部６６の孔６６ａに固定されており、コンタクト腕部７２、７３はハウジング６１内に収まっており、コンタクト部７２ａ，７３ａがフレキシブルプリント配線板挿入口６８に臨んでいる。下側のコンタクト腕部７３の先端側は、底板部６２の上面より離れている。コンタクト腕部７３が弾性変形可能となるためである。また、根元部７７が支持部７５に対向している。
【００３３】
アクチュエータ８０は、前記の矩形開口６９に対応する四角形状のカバー部８１とこのカバー部８１のＹ１方向端に略Ｚ２方向に延びている迫り出し板部８２とを有し、この迫り出し板部８２の先端側に、図６（Ａ）に示すように、カム部８３及び軸受部８４を有する。軸受部８４は、支持部７５に対応する凹状の半円である。カム部８３は、軸受部８４の中心０１からの距離（半径）ｒ１，ｒ２，ｒ３が、先端側から離れるにつれて増えて、ｒ３＞ｒ２＞ｒ１となる形状である。
【００３４】
このアクチュエータ８０は、軸受部８４が支持部７５に嵌合し、カム部８３が根元部７７と支持部７５との間に入り込んだ状態で取り付けてあり、カム部８３が根元部７７に当たっており、斜めの状態にある。
【００３５】
ロック機構９０は、図４（Ａ），（Ｂ）に示すように、ハウジング６１の側板部６４、６５に固定してある金具部材９１，９２と、カバー部８１のＹ２側のＸ１側とＸ２側とに設けてある円柱部９３，９４とよりなる。円柱部９３，９４が金具部材９１，９２の略半円形状の凹部９１ａ，９２ａにクリック的に嵌合してロックされる。また、金具部材９１，９２は、下端部にコネクタ装置６０をプリント基板上に実装するためのフット部９１ｂを有する。
【００３６】
次に、フレキシブルプリント配線板４０をコネクタ装置６０に接続するときの操作及び動作について説明する。
【００３７】
フレキシブルプリント配線板４０のコネクタ装置６０へ接続する操作は、先ず、必要に応じてアクチュエータ８０を引き上げ、フレキシブルプリント配線板４０の端をコネクタ装置６０内にその先端がストッパ部７８に当たる位置までＺＩＦで挿入し、次いで、斜めとなっているアクチュエータ８０を指先等でＺ２方向に押し下げて、アクチュエータ８０を水平位置にロック機構９０によってロックさせることによって完了する。
【００３８】
アクチュエータ８０がＺ２方向に押し下げられると、アクチュエータ８０は軸受部８４を支持部７５によって支持されつつ、反時計方向に回動される。このときに、図６（Ｂ）に拡大して示すように、カム部８３がてこの原理で根元部７７をＹ２方向に力Ｆ１０で強く押し、柱部７６がＹ２方向に撓まされ、コンタクト部７２ａがＺ２方向に変位する。柱部７６は、ストッパ部７８の先端がコンタクト腕部７３の根元部に押し当たる状態まで撓まされる。
【００３９】
コンタクト部７２ａがＺ２方向に変位すると直ぐにコンタクト部７２ａとコンタクト部７３ａとがフレキシブルプリント配線板４０に当たってそれ以上の変位が制限されるようになる。柱部７６はこれ以後もＹ２方向に撓まされ、この過程で、コンタクト腕部７２、７３が弾性的に撓まされる。
【００４０】
コンタクト腕部７２、７３が弾性的に撓まされることによってコンタクト腕部７２、７３自体に発生した弾性力によって、コンタクト部７２ａ及びコンタクト部７３ａがフレキシブルプリント配線板４０に力Ｆ１１の接蝕圧力を与える。フレキシブルプリント配線板４０は、上面にはコンタクト部７２ａが押し当たり、下面にはコンタクト部７３ａが押し当たった状態で、コネクタ装置６０に接続される。
【００４１】
カム部８３は、並んでいる他のコンタクト部材にも上記と同様に作用する。
【００４２】
なお、フレキシブルプリント配線板４０をコネクタ装置６０への接続を解除する際には、アクチュエータ８０を強く引き上げる操作を行う。この操作によって、ロック機構９０によってロックが外れて、アクチュエータ８０が傾斜されると、柱部７６が復元し、コンタクト部７２ａ、７３ａの間隔が広がり、フレキシブルプリント配線板４０はフリーとなり、軽く引き抜ける。
【００４３】
ここで、上記のコネクタ装置６０の特長について説明する。
（１）コネクタ装置６０は上下にフレキシブルプリント配線板４０に押し当たるコンタクト部７２ａ、７３ａを有する、所謂上下コンタクトタイプであるため、フレキシブルプリント配線板が図４（Ａ）中符号４０Ａで示すように端子パターン４１が上面である場合であっても、端子パターン４１がコンタクト部７２ａと接触することによって、フレキシブルプリント配線板はコネクタ装置６０に正常に接続される。よって、図２において、コネクタ装置６０は上側の基板５０にも下側の基板５１にも実装可能である。
（２）アクチュエータ８０を押し下げたときにフレキシブルプリント配線板４０を擦らない。よって、フレキシブルプリント配線板４０がずれることが起きず、これにより、端子パターン４１がコンタクト部７２ａ、７３ａに対してずれてしまうことが起きず、端子パターン４１のピッチが狭い状況であっても、接続は精度良くなされる。
（３）カム部８３は合成樹脂製であり、接続作業を繰り返すと擦れて磨耗する。ここで、コンタクト部７２ａ、７３ａのフレキシブルプリント配線板４０への接蝕圧力は柱部７６のＹ２方向への撓みの量によって決定され、この柱部７６の撓みの量は、カム部８３の寸法形状ではなく、ストッパ部７８によって決定される。よって、カム部８３が磨耗しても上記の接蝕圧力は低下せず、常に一定の接蝕圧力を確保することが出来る。
（４）アクチュエータ８０のカバー部８１は、ハウジング６１の上板部６３の矩形開口６９内に嵌合してこれを塞ぎ、上板部６３と同じ高さに位置する。よって、コネクタ装置６０の高さ寸法　　　は、ハウジング６１の高さにアクチュエータ８０厚さを加算したものとはならず、ハウジング６１の高さに対応したものとなり、コネクタ装置６０は低背化の構造となる。
（５）ハウジング６１のフレキシブルプリント配線板４０が挿入される側には、矩形枠部６７があり、フレキシブルプリント配線板４０がＺ１方向に引っぱられた場合にフレキシブルプリント配線板４０が当たるのは梁部６７ａであり、アクチュエータ８０には当たらない。よって、不用意にアクチュエータ８０が開いてしまうことが起きない。
【００４４】
［第２実施例］
図７（Ａ），（Ｂ）は本発明の第２実施例のフレキシブルプリント配線板用コネクタ装置６０Ａを示す。コネクタ装置６０Ａは、上下コンタクトタイプで、加圧タイプであり、コンタクト部材７０Ａ以外は、図４及び図５（Ａ），（Ｂ）のフレキシブルプリント配線板用コネクタ装置６０と同じである。
【００４５】
コンタクト部材７０Ａは、図５（Ａ）のコンタクト部材７０とは、以下の点が相違する。柱部７６に代えて、梁部７９を有する。ストッパ部７８に代えて、上側のコンタクト腕部７２の根元部７７をＺ２方向に延ばして、ストッパ部７８Ａが形成してある。ベース部７１と上側のコンタクト腕部７２の根元部７７とは、ベース部７１からＹ２方向に突き出ている梁部７９によって繋がっている。この梁部７９が撓むことによって、コンタクト部７２ａがＺ２方向に変位される。
【００４６】
梁部７９はＹ１−Ｙ２方向に延在しているため、柱部７６に比べて長さが長く取れ、撓み易くなり、アクチュエータ８０の操作が軽くなる。
【００４７】
［第３実施例］
図８及び図９（Ａ），（Ｂ）、（Ｃ）は本発明の第３実施例のフレキシブルプリント配線板用コネクタ装置６０Ｂを示す。コネクタ装置６０Ｂは、上下コンタクトタイプで、コンタクト部材自体のばね力によって接触圧力を得るタイプであり、絶縁材料製のハウジング６１と、ハウジング６１内にＸ１−Ｘ２方向に並んで組み込んである複数のコンタクト部材７０Ｂと、アクチュエータ８０Ｂとを有する。アクチュエータ８０Ｂは、水平の姿勢から一旦傾斜した姿勢とされ、その後に元の水平の姿勢に倒される。
【００４８】
コンタクト部材７０Ｂは、図１０及び図９（Ａ）に示すように、前記のコンタクト部材７０とは、自然の状態でコンタクト部７２ａ，７３ａの間隔ｂがフレキシブルプリント配線板４０の端部の厚さｔ１０より小さい点が相違する。上側のコンタクト腕部７２と下側のコンタクト腕部７３とはフォーク形状をなす。上側のコンタクト腕部７２は、略Ｌ字形状をなし、根元部にＹ１側に突き出したカム部７２ｂを有し、くびれた部分７２ｃでもって下側のコンタクト腕部７３の根元部とつながっている。カム部７２ｂはくびれた部分７２ｃよりもＹ２側に位置している。
【００４９】
アクチュエータ８０Ｂは、カム部８３Ｂは、軸受部８４の中心０１からの距離（半径）ｒ１０，ｒ１１が、先端側から離れるにつれて減って、ｒ１０＞ｒ１１となる形状である。
【００５０】
アクチュエータ８０Ｂが傾斜した姿勢とされると、図１１（Ａ）に示すように、カム部８３Ｂのうち半径ｒ１０の部分がカム部７２ｂを力Ｆ２０で押しており、くびれた部分７２ｃが弾性的に撓まされて、上側のコンタクト腕部７２が時計方向に回動されて、図９（Ｂ）に示すように、コンタクト部７２ａ、７３ａの間隔は広げられてｔ１０より大きいｃとなる。
【００５１】
フレキシブルプリント配線板４０の接続は、アクチュエータ８０Ｂを引き上げてコンタクト部７２ａ、７３ａの間隔を一時的に広げ、フレキシブルプリント配線板４０を挿入し、アクチュエータ８０Ｂを押し下げる操作をして、図９（Ｃ）に示す状態となって完了する。
【００５２】
フレキシブルプリント配線板４０がコネクタ装置６０Ｂに挿入されている状態でアクチュエータ８０Ｂを押すと、カム部８３Ｂのうち半径ｒ１１の部分がカム部７２ｂに対向するようになって、カム部７２ｂはカム部８３Ｂによって押されることが解放され、コンタクト部材７０Ｂは図１０に示す自然の状態に戻ろうとし、その途中でコンタクト部７２ａ，７３ａが図９（Ｃ）に示すようにフレキシブルプリント配線板４０の端部を挟み込む。コンタクト部７２ａ，７３ａのフレキシブルプリント配線板４０への接触圧力Ｆ２１はくびれた部分７２ｃに発生している弾性力でもって与えられる。コンタクト部７２ａ，７３ａのフレキシブルプリント配線板４０への接触圧力はくびれた部分７２ｃに発生している弾性力でもって与えられるため、カム部８３Ｂが磨耗しても接触圧力は影響を受けない。なお、アクチュエータ８０Ｂを引き上げて斜めにすることによって、コンタクト部７２ａ，７３ａの間隔が広げられて、フレキシブルプリント配線板４０の接続が解除される。
【００５３】
このコネクタ装置６０Ｂによれば、図４のコネクタ装置６０が有する特長に加えて、以下の特長を有する。
（１）アクチュエータ８０Ｂはカム部７２ｂによって水平の状態に保持されるため、図４に示すロック機構は不要である。
（２）斜めの状態のアクチュエータ８０Ｂはカム部７２ｂによって水平の方向に回動しようとする力を作用されるので、斜めの状態のアクチュエータ８０Ｂを水平の姿勢にする操作は小さい力で足り、操作性が良い。
【００５４】
［第４実施例］
図１２及び図１３（Ａ），（Ｂ）は本発明の第４実施例のフレキシブルプリント配線板用コネクタ装置６０Ｃを示す。コネクタ装置６０Ｃは、上下コンタクトタイプで、コンタクト部材自体のばね力によって接触圧力を得るタイプであり、絶縁材料製の箱形状のハウジング６１Ｃと、ハウジング６１Ｃ内にＸ１−Ｘ２方向に並んで組み込んである複数のコンタクト部材７０Ｃと、傾斜した姿勢から倒されるアクチュエータ８０Ｃとを有する。
【００５５】
コンタクト部材７０Ｃは、自然の状態では、図１３（Ａ）に二点鎖線で示すように、コンタクト部７２ａ，７３ａの間隔ｄはフレキシブルプリント配線板４０の端部の厚さｔ１０より小さい。
【００５６】
アクチュエータ８０Ｃは、四角の枠形状であり、上側のコンタクト腕部７２と下側のコンタクト腕部７３との間を通っているカムロッド部８５と、腕部８６ａ，８６ｂと、横架ロッド部８７とよりなる。カムロッド部８５の両端は、ハウジング６１Ｃの穴に支持されている。カムロッド部８５は断面が菱形形状である。通常は、アクチュエータ８０Ｃは図１３（Ｂ）に示すように倒されている。
【００５７】
フレキシブルプリント配線板４０を接続するに際しては、図１３（Ａ）に示すように、アクチュエータ８０Ｃを起こし、カムロッド部８５の菱形の長軸の端側でもってコンタクト腕部７２とコンタクト腕部７３との間隔を主にコンタクト腕部７３が弾性的に撓まされることによって一時的に広げてコンタクト部７２ａ、７３ａの間隔を一時的にｅに広げ、フレキシブルプリント配線板４０をコネクタ装置６０Ｃに挿入し、そして、アクチュエータ８０Ｃを図１３（Ｂ）に示すように倒す。
【００５８】
アクチュエータ８０Ｃが倒されると、図１３（Ｂ）に示すように、カムロッド部８５によるコンタクト腕部７２、７３に対する係止が解除されて、コンタクト腕部７２、７３が復元し、コンタクト部７２ａ、７３ａがフレキシブルプリント配線板４０を力Ｆ３１で挟み込み、フレキシブルプリント配線板４０が接続される。
【００５９】
アクチュエータ８０Ｃの横架ロッド部８７は、ハウジング６１Ｃの上板部６２Ｃの溝部６２Ｃａに嵌合しており、コネクタ装置６０Ｃは低背化の構造となっている。
【００６０】
なお、アクチュエータ８０Ｃを引き上げて斜めにすることによって、コンタクト部７２ａ，７３ａの間隔が広げられて、フレキシブルプリント配線板４０の接続が解除される。
【００６１】
ここで、コンタクト部７２ａ，７３ａの間隔が広げる動作は、コンタクト腕部７２、７３の間に位置するカムロッド部８５の菱形の長軸の端側がコンタクト腕部７２、７３を押すことによってなされる。このため、図１１（Ａ）に示すようにコンタクト腕部７３の根元部のカム部を押すことによって上下のコンタクト部の間隔を広げる構成に比べて、上下のコンタクト部の間隔を広げる動作が安定になされる。しかも、上下のコンタクト部の間隔を広げるために押す力も小さくて足り、よって、アクチュエータ８０Ｃの操作が軽い力でなされる。
【００６２】
なお、上記のコンタクト部材７０Ｃに代えて、図１４に示すコンタクト部材７０Ｃ−１を使用してもよい。コンタクト部材７０Ｃ−１は、上側のコンタクト腕部７２の下側のコンタクト腕部７３へのつなぎの部分７０Ｃ−１ａがばね性を有する構成である。
【００６３】
［第５実施例］
図１５（Ａ），（Ｂ）は本発明の第５実施例のフレキシブルプリント配線板用コネクタ装置６０Ｄを示す。コネクタ装置６０Ｄは、上下コンタクトタイプで、コンタクト部材自体のばね力によって接触圧力を得るタイプで、且つ、アクチュエータ８０Ｄが挿入されるフレキシブルプリント配線板４０によって動作されるタイプあり、図１５（Ａ），（Ｂ）のコネクタ装置６０Ｃとは、アクチュエータ８０Ｄが相違する。
【００６４】
アクチュエータ８０Ｄは、四角の枠形状であり、上側のコンタクト腕部７２と下側のコンタクト腕部７３との間を通っているカムロッド部１００を有する。カムロッド部１００は、断面が板形状であり、その上端に近い部位１０１がハウジング６１Ｃの穴に支持されている。
【００６５】
フレキシブルプリント配線板４０を接続するに際しては、図１５（Ａ）に示すように、アクチュエータ８０Ｄを起こしてコンタクト部７２ａ、７３ａの間隔を一時的に広げ、フレキシブルプリント配線板４０をコネクタ装置６０Ｄ内に挿入する。
【００６６】
コネクタ装置６０Ｄ内に挿入されたフレキシブルプリント配線板４０の先端がカムロッド部１００を押して、図１５（Ｂ）に示すように、アクチュエータ８０Ｄが反時計方向に回動され、コンタクト部７２ａ、７３ａの間隔が狭まり、フレキシブルプリント配線板４０がコネクタ装置６０Ｄと接続される。
【００６７】
このコネクタ装置６０Ｄでは、アクチュエータ８０Ｄを倒す操作が不要となり、操作性が良い。
【００６８】
［第６実施例］
図１６及び図１７（Ａ），（Ｂ）は本発明の第６実施例のフレキシブルプリント配線板用コネクタ装置６０Ｅであり、上下にコンタクト部を有する上下コンタクトタイプで、且つ、押す操作をすることによって接触圧力をうる加圧タイプであり、図４及び図５（Ａ），（Ｂ）に示すコネクタ装置６０とは、押す場所が上コンタクト部である点が相違する構成である。コネクタ装置６０Ｅは、絶縁材料製のハウジング６１Ｅと、ハウジング６１Ｅ内に組み込んである複数のコンタクト部材７０Ｅと、絶縁材料製のアクチュエータ８０Ｅと、アクチュエータ８０Ｅを操作した水平位置にロックするロック機構９０Ｅとを有する。
【００６９】
コンタクト部材７０Ｅは、上側のコンタクト腕部７２が下側のコンタクト腕部７３にばね性を有するつなぎ部分１１０によってつながっている構成である。コンタクト腕部７２の先端側はＺ２方向に、コンタクト腕部７３の先端側はＺ１方向に曲がっている。上下のコンタクト部７２ａ，７２ｂの間隔ｉはｔ１０より大きい。
【００７０】
ハウジング６１Ｅは上方が開口である形状である。アクチュエータ８０Ｅは、軸部８０Ｅａによってハウジング６１Ｅに支持されており、上側のコンタクト腕部７２Ｅを覆っている。ロック機構９０Ｅは、アクチュエータ８０Ｅの両側の爪部８０Ｅｂとハウジング６１Ｅの両側の爪部６１Ｅｂとよりなる。
【００７１】
フレキシブルプリント配線板４０を接続するには、図１７（Ａ）に示すようにフレキシブルプリント配線板４０をコネクタ装置６０Ｅ内に挿入し、アクチュエータ８０Ｅを押し下げて爪部８０Ｅｂを爪部６１Ｅｂと係合させてロックさせる。アクチュエータ８０Ｅによって上側のコンタクト腕部７２が押し下げられ、図１７（Ｂ）に示すように、コンタクト部７２ａ，７２ｂがフレキシブルプリント配線板４０を挟んで、且つ、上下側のコンタクト腕部７２、７３が撓まされ、フレキシブルプリント配線板４０がコネクタ装置６０Ｆと接続される。コンタクト部７３ｂの端子パターン４１への接触圧力Ｆ５１はコンタクト腕部７２、７３の弾性力によって与えられる。
【００７２】
［第７実施例］
図１８及び図１９（Ａ）は本発明の第７実施例のフレキシブルプリント配線板用コネクタ装置６０Ｆを示す。このコネクタ装置６０Ｆは、上下にコンタクト部を有する上下コンタクトタイプで、且つ、コンタクト部材自体のばね力によって接触圧力を得るタイプで、クリップに似たタイプある。コネクタ装置６０Ｆは、絶縁材料製のハウジング６１Ｆと、ハウジング６１Ｆ内に組み込んである複数のコンタクト部材７０Ｆと、絶縁材料製のアクチュエータ８０Ｆとを有する。
【００７３】
コンタクト部材７０Ｆは、図１９（Ａ）に示すように、上側のコンタクト腕部７２が下側のコンタクト腕部７３にばね性を有するつなぎ部分１２０によってつながっており、上側のコンタクト腕部７２Ｆよりつなぎ部分１２０を越えてＹ１方向に延びている腕部１２１を有し、コンタクト腕部７３の先端側がＺ１方向に反っており、且つ、上下のコンタクト部７２ａ，７２ｂの間隔ｊがｔ１０より狭い構成である。
【００７４】
アクチュエータ８０Ｆは、軸８０Ｆａによってハウジング６１Ｆに取り付けてあり、腕部１２１を覆っている。
【００７５】
フレキシブルプリント配線板４０を接続するには、図１９（Ｂ）に示すように指先でアクチュエータ８０Ｆを押し付け、上下のコンタクト部７２Ｅａ，７２Ｅｂの間隔を一時的に広げて、フレキシブルプリント配線板４０をコネクタ装置６０Ｆ内に挿入し、指先をアクチュエータ８０Ｆから離す。これによって、図１９（Ｃ）に示すように、つなぎ部分１２０のばね力によって、コンタクト部７２ａ，７２ｂがフレキシブルプリント配線板４０を挟んで、フレキシブルプリント配線板４０がコネクタ装置６０Ｆと接続される。コンタクト部７３Ｆａの端子パターン４１への接触圧力Ｆ５１はつなぎ部分１２０のばね力によって与えられる。
【００７６】
なお、フレキシブルプリント配線板４０の接続解除は、指先でアクチュエータ８０Ｆを押してコンタクト部７２ａ，７２ｂの間隔を広げ、フレキシブルプリント配線板４０を引き抜くことで行われる。
【００７７】
［第８実施例］
図２０及び図２１（Ａ）、（Ｂ）は本発明の第８実施例のフレキシブルプリント配線板用コネクタ装置６０Ｇを示す。このコネクタ装置６０Ｇは、下側にコンタクト部を有する下コンタクトタイプで、押す操作をすることによって接触圧力をうる加圧タイプであり、且つ、２ピースのタイプある。コネクタ装置６０Ｇは、絶縁材料製のハウジング６１Ｇと、ハウジング６１Ｇ内に組み込んである複数のコンタクト部材７０Ｇと、絶縁材料製のアクチュエータ８０Ｇとを有する。アクチュエータ８０Ｇは、ハウジング６１Ｇと分離している別部材である。
【００７８】
ハウジング６１Ｇは、Ｙ２側のＸ１とＸ２側とに凹部１３０を有する。
【００７９】
コンタクト部材７０Ｇは、図２１（Ａ）に示すように、ベース部７１ＧのうちＺ１側からＹ２方向に腕部１４０が突き出ており、ベース部７１ＧのうちＺ１側からＹ２方向に下側のコンタクト腕部７３Ｇが突き出ている形状である。コンタクト腕部７３は、Ｚ１方向に曲がった形状をしており、先端にコンタクト部７３ａを有する。
【００８０】
アクチュエータ８０Ｇは、Ｙ１側に係止部１５０を有し、且つ、Ｙ２側のＸ１とＸ２側とにＺ２方向に突き出た係止爪部１５１を有する。係止部１５０は断面が凹の円弧状であり、Ｘ１−Ｘ２方向の全長に亘っている。
【００８１】
フレキシブルプリント配線板４０は、図２１（Ａ）に示すように、フレキシブルプリント配線板４０をハウジング６１Ｇ上にセットし、アクチュエータ８０Ｇを斜めにしてその係止部１５０を腕部１４０の下側に潜り込ませて嵌合させ、アクチュエータ８０ＧのＹ２側をＺ２方向に押し付ける操作することによって、図２１（Ｂ）に示すようになって、コネクタ装置６０Ｇに接続される。
【００８２】
アクチュエータ８０ＧのＹ２側をＺ２方向に押し付けると、アクチュエータ８０Ｇは、腕部１４０と嵌合している係止部１５０を中心に回動されて、係止爪部１５１がハウジング６１Ｇの凹部１３０に嵌合し且つ係止されてロックされる。
【００８３】
フレキシブルプリント配線板４０はハウジング６１Ｇとアクチュエータ８０Ｇとの間に挟まれ、コンタクト腕部７３ＧがＺ２方向に弾性的に撓まされ、コンタクト部７３Ｇａが端子パターン４１に押し当たっている状態となる。係止部１５０は、並んでいる全部のコンタクト部材７０Ｇの腕部１４０と係合されており、Ｚ１方向に凸に湾曲することがない。よって、全部のコンタクト部材７０Ｇのコンタクト部７３Ｇａが対応する端子パターン４１に確実に押し当たる。
【００８４】
なお、フレキシブルプリント配線板４０の接続解除は、指先で係止爪部１５１をハウジング６１Ｇの凹部１３０から外して、アクチュエータ８０ＦのＹ２側をＺ１方向に上げることによってなされる。
【００８５】
【発明の効果】
上述の如く、本発明によれば、フレキシブルプリント配線板を挿入してアクチュエータを操作することによって、上側コンタクト部と下側コンタクト部とが所定の接触圧力でフレキシブルプリント配線板を挟む構成としため、端子パターンが下面に位置する場合に限らず上面に位置する場合にも適用が可能であり、よって、接続されるフレキシブルプリント配線板の向きを気にしないで実装して使用することが出来る。
【００８６】
また、本発明によれば、アクチュエータを操作したときにフレキシブルプリント配線板を擦らないため、フレキシブルプリント配線板の位置がずれることが起きず、よって、端子パターンがコンタクト部に対してずれてしまうことが起きず、特に端子パターンのピッチが狭い場合において接続の信頼性を向上出来る。
【図面の簡単な説明】
【図１】従来のフレキシブルプリント配線板用コネクタ装置を示す図である。
【図２】図１のコネクタ装置の問題点を説明する図である。
【図３】図１のコネクタ装置の別の問題点を説明する図である。
【図４】本発明の第１実施例のフレキシブルプリント配線板用コネクタ装置を示す図である。
【図５】図４のコネクタ装置の接続前の状態及び接続したときの状態を示す図である。
【図６】図５（Ａ）、（Ｂ）中のカム部の状態を拡大して示す図である。
【図７】本発明の第２実施例になるフレキシブルプリント配線板用コネクタ装置を示す図である。
【図８】本発明の第３実施例になるフレキシブルプリント配線板用コネクタ装置を示す図である。
【図９】図８のコネクタ装置の通常の状態、接続するときの状態及び接続したときの状態を示す図である。
【図１０】コンタクト部材を示す図である。
【図１１】図９（Ｂ）、（Ｃ）中のカム部の状態を拡大して示す図である。
【図１２】本発明の第４実施例になるフレキシブルプリント配線板用コネクタ装置を示す図である。
【図１３】図１１のコネクタ装置の接続する直前の状態及び接続したときの状態を示す図である。
【図１４】コンタクト部材の変形例を示す図である。
【図１５】本発明の第５実施例になるフレキシブルプリント配線板用コネクタ装置を示す図である。
【図１６】本発明の第６実施例になるフレキシブルプリント配線板用コネクタ装置を示す図である。
【図１７】図１６のコネクタ装置の接続前の状態及び接続したときの状態を示す図である。
【図１８】本発明の第７実施例になるフレキシブルプリント配線板用コネクタ装置を示す図である。
【図１９】図１８のコネクタ装置の通常の状態、接続するときの状態及び接続したときの状態を示す図である。
【図２０】本発明の第８実施例になるフレキシブルプリント配線板用コネクタ装置を示す図である。
【図２１】図２０のコネクタ装置の接続前の状態及び接続したときの状態を示す図である。
【符号の説明】
４０　フレキシブルプリント配線板
６０、６０Ａ〜６０Ｇ　フレキシブルプリント配線板用コネクタ装置
６１　ハウジング
７０　コンタクト部材
７１　ベース部
７２　上側のコンタクト腕部
７３　下側のコンタクト腕部
７２ａ，７３ａ　コンタクト部
７８　ストッパ部
８０　アクチュエータ
８３　カム部
９０　ロック機構
【図１】
2004039479.tif 000003
【図２】
2004039479.tif 000004
【図３】
2004039479.tif 000005
【図４】
2004039479.tif 000006
【図５】
2004039479.tif 000007
【図６】
2004039479.tif 000008
【図７】
2004039479.tif 000009
【図８】
2004039479.tif 000010
【図９】
2004039479.tif 000011
【図１０】
2004039479.tif 000012
【図１１】
2004039479.tif 000013
【図１２】
2004039479.tif 000014
【図１３】
2004039479.tif 000015
【図１４】
2004039479.tif 000016
【図１５】
2004039479.tif 000017
【図１６】
2004039479.tif 000018
【図１７】
2004039479.tif 000019
【図１８】
2004039479.tif 000020
【図１９】
2004039479.tif 000021
【図２０】
2004039479.tif 000022
【図２１】
2004039479.tif 000023